(57)【要約】  【課題】  光ディスク装置において、光ピックアップの移動を確保できる技術を提供する。  【解決手段】  シャーシ側にリードスクリュー部材の長手方向に沿う凹部または孔を設け、光ピックアップに結合されラック部で上記リードスクリュー部材の送りねじに係合するガイドフィード部材側に突起部を設け、該突起部を上記凹部または孔に挿入して係合させ、該係合により、上記ガイドフィード部材のラック部の、上記リードスクリュー部材の送りねじに対する乗り上げを阻止し、該ラック部と該送りねじとの正常な係合状態を保持する。【選択図】  図３
2005222615.tif 000002
【特許請求の範囲】
【請求項１】
光ディスクの半径方向に光ピックアップを移動させ情報の記録、再生のいずれか一方または両方を行う光ディスク装置であって、
上記光ピックアップの移動を案内するガイド部材と、
上記ガイド部材に平行に配され、表面に送りねじが形成されたリードスクリュー部材と、
上記リードスクリュー部材を回転駆動する送りモータと、
上記ガイド部材、上記リードスクリュー部材または上記送りモータを支持し、該リードスクリュー部材の長手方向に沿って凹部または孔が形成されたシャーシと、
上記光ピックアップに結合され、ラック部で上記リードスクリュー部材の送りねじに係合し該送りねじの回転により該ラック部を介して移動力を与えられ上記ガイド部材に案内されてディスク半径方向に移動するとともに、上記シャーシの上記凹部または孔に係合する突起部を有するガイドフィード部材と、
を備え、上記ガイドフィード部材の上記突起部と上記シャーシの上記凹部または孔との係合により、該ガイドフィード部材の上記ラック部と上記リードスクリュー部材の送りねじとの係合を保持する構成としたことを特徴とする光ディスク装置。
【請求項２】
上記ガイドフィード部材の上記突起部は、該ガイドフィード部材の上記ラック部と上記リードスクリュー部材の送りねじとの係合が外れない位置で、上記シャーシの上記凹部または孔の周面に当接する構成である請求項１に記載の光ディスク装置。
【請求項３】
上記ガイドフィード部材の上記ラック部は、弾性部材の弾性復元力で付勢されて上記リードスクリュー部材の送りねじと係合する構成である請求項１に記載の光ディスク装置。
【発明の詳細な説明】
【技術分野】
【０００１】
本発明は、光ディスクに対し情報を記録または再生する光ディスク装置に係り、特に、光ピックアップを移動させるための技術に関する。
【背景技術】
【０００２】
本発明に関連した従来技術としては、例えば、特開２００３−２４９０４２号公報（特許文献１）や特開２０００−３３９８８２号公報（特許文献２）に記載されたものがある。特開２００３−２４９０４２号公報には、ラック部（リードスクリューのねじ溝に係合する部分）の上部から延びてリードスクリューを覆うＬ字状のストッパを設け、該ストッパと該リードスクリューとが、ラック部の歯部がリードスクリューのねじ溝を乗り越えた場合に当接するようにした構成が記載され、特開２０００−３３９８８２号公報にも、上記特開２００３−２４９０４２号公報記載の技術とほぼ同様の技術が記載されている。
【０００３】
【特許文献１】特開２００３−２４９０４２号公報
【０００４】
【特許文献２】特開２０００−３３９８８２号公報
【発明の開示】
【発明が解決しようとする課題】
【０００５】
上記公報記載の従来技術はいずれも、ラック部の歯部がリードスクリューの回転方向の力を受けた場合には、該リードスクリューのねじ溝を外れる方向への該ラック部の変位を規制する効果は十分ではないことが予想される。
本発明の課題点は、上記従来技術の状況に鑑み、光ディスク装置において、ラック部がリードスクリューの回転方向の力を受けた場合にも、ラック部のリードスクリューへの乗り上げが発生しないようにすることである。
本発明の目的は、かかる課題点を解決し、光ディスク装置において、光ピックアップの移動を確保可能な技術を提供することにある。
【課題を解決するための手段】
【０００６】
上記課題点を解決するために、本発明では、光ディスク装置において、シャーシ側にリードスクリュー部材の長手方向に沿う凹部または孔を設け、光ピックアップに結合されラック部で上記リードスクリュー部材の送りねじに係合するガイドフィード部材側に突起部を設け、該突起部を上記凹部または孔に挿入して係合させ、該係合により、上記ガイドフィード部材のラック部の、上記リードスクリュー部材の送りねじに対する乗り上げを阻止し、該ラック部と該送りねじとの正常な係合状態を保持する構成とする。
【発明の効果】
【０００７】
本発明によれば、光ディスク装置において、ガイドフィード部材のラック部の、リードスクリュー部材への乗り上げを防止することができ、光ピックアップの正常な移動が確保される。
【発明を実施するための最良の形態】
【０００８】
以下、本発明を実施するための最良の形態につき、図面を用いて説明する。
図１〜図４は、本発明の実施形態の説明図である。図１は、本発明の実施形態としての光ディスク装置の構成例図、図２は、図１の光ディスク装置の裏面側の構成図、図３は、図１の光ディスク装置の光ピックアップ送り機構部の拡大図、図４は、本発明の作用・効果を説明するための図である。
【０００９】
図１において、１は、光ディスク（図示なし）の情報記録面にレーザ光を照射したり、反射光を受光したりして、該情報記録面に対し信号の記録や再生を行う光ピックアップ、２は、光ディスクを回転駆動するスピンドルモータ、３は、表面に送りねじが形成され、該送りねじの回転により光ピックアップ１をディスク半径方向に移動させるリードスクリュー部材、４は、光ピックアップ１のディスク半径方向への移動を案内するガイド部材、５は、リードスクリュー部材３を回転駆動する送りモータ、６は、光ピックアップ１に結合され、ラック部で上記リードスクリュー部材３の送りねじに係合したガイドフィード部材、７は、ガイドフィード部材６の上記ラック部を付勢するためのばね等の弾性部材、８はシャーシ、１１は、シャーシ８に形成された凹部または孔である。リードスクリュー部材３は、上記ガイド部材４に平行に配される。ガイドフィード部材６は、上記リードスクリュー部材３の送りねじの回転によりラック部を介して移動力を与えられガイド部材４に案内されてディスク半径方向に移動するとともに、上記シャーシ８の上記凹部または孔１１に係合する突起部を有する。該突起部が該凹部または孔１１と係合することにより、ガイドフィード部材６のラック部とリードスクリュー部材３の送りねじとの係合状態を保持し、ラック部がリードスクリュー部材３の表面に乗り上げないようにする。
【００１０】
上記構成において、例えば、記録または再生の動作開始時において、送りモータ５によりリードスクリュー部材３が回転駆動されると、その送りねじの溝に係合されたガイドフィード部材６のラック部に移動力が伝達され、ガイドフィード部材６とともに光ピックアップ１が、ガイド部材４によって案内され光ディスクの半径増大方向に移動する。ラック部が移動し光ピックアップ１がディスク半径増大方向の最終位置に達すると、マイコン等の制御系（図示なし）により停止する。この状態から、制御系の誤動作や外部からの衝撃力などにより、光ピックアップ１がさらにディスク半径増大方向に移動すると、該光ピックアップ１の移動量を規制する部材で該移動を阻止され強制的に停止する。このとき、送りモータ４は回転を継続してリードスクリュー部材３をそのまま回転させるため、ラック部がリードスクリュー部材３の送りねじの溝から外れ、歯飛び状態（ラック部がねじの溝から外れ、再び該溝に係合することを繰返す状態）となる。本図１の構成の場合、該歯飛び状態となっても、ラック部は、最終的には、リードスクリュー部材３の送りねじの溝との係合状態に復帰する。該歯飛び状態で、送りモータ５を逆転させる指示信号がマイコン等の制御系（図示なし）により形成される。これにより、送りモータ５が逆転され、リードスクリュー部材３を上記とは反対方向に回転させ、光ピックアップ１を光ディスクの半径減少方向に移動させ、所定のディスク内径側の位置に移動させる。
【００１１】
図２は、図１の光ディスク装置の裏面側の構成図である。
本図２以下の説明において、上記図１の装置構成の要素には図１の場合と同じ符号を付す。
図２において、１１は、シャーシ８に形成された凹部または孔、２１は、ガイドフィード部材６にあって上記凹部または孔１１に係合する突起部である。凹部または孔１１は、リードスクリュー部材３、ガイド部材４の長手方向に沿い略一定の幅でシャーシ８に形成される。
【００１２】
図３は、図１の光ディスク装置の光ピックアップ送り機構部の拡大図である。
図３において、１０はガイドフィード部材６上のラック部、ｗ１は、ガイドフィード部材６上に設けられた突起部２１の外形寸法、ｗ２は、シャーシ８に形成された凹部または孔１１の幅である。ｗ２＞ｗ１とされ、両者の寸歩差は、ラック部１０とリードスクリュー部材３の送りねじとの係合が矢印方向に外れない位置で、突起部２１が、凹部または孔１１の周面に当接する寸法差とされる。該当接により、ラック部１０の、リードスクリュー部材３の送りねじとの係合が外れようとする移動変位が阻止され、係合状態が保持される。
【００１３】
図４は、図３の構成において、ガイドフィード部材６の突起部２１とシャーシ８の凹部または孔１１とを設けない場合の動作状態を示す図である。突起部２１と凹部または孔１１とを設けない場合は、装置に衝撃力が加わった場合や、ガイドフィード部材６がディスク最外周位置や最内周位置で停止しているときにリードスクリュー部材３が継続して回転した場合などには、ガイドフィード部材６のラック部が、リードスクリュー部材３の送りねじ部から外れ、該送りねじの表面に乗り上げてしまい、そのまま、元の係合状態に復帰しないことが起こる。
【００１４】
上記本発明の実施形態によれば、光ディスク装置において、装置に衝撃力が加わった場合や、ガイドフィード部材６がディスク最外周位置や最内周位置で停止しているときにリードスクリュー部材３が回転した場合などにも、ガイドフィード部材のラック部のリードスクリュー部材への乗り上げを防止することが可能となり、光ピックアップの正常な移動が確保される。
【図面の簡単な説明】
【００１５】
【図１】本発明の実施形態としての光ディスク装置の構成例図である。
【図２】図１の光ディスク装置の裏面側の構成図である。
【図３】図１の光ディスク装置の光ピックアップ送り機構部の拡大図である。
【図４】本発明の作用・効果を説明する図である。
【符号の説明】
【００１６】
１…光ピックアップ、
２…スピンドルモータ、
３…リードスクリュー部材、
４…ガイド部材、
５…送りモータ、
６…ガイドフィード部材、
７…弾性部材、
８…シャーシ、
１１…凹部または孔、
２１…突起部。
【図１】
2005222615.tif 000003
【図２】
2005222615.tif 000004
【図３】
2005222615.tif 000005
【図４】
2005222615.tif 000006